(57)【特許請求の範囲】
【請求項１】
左右サッシと、その左右サッシの縦枠相互を連結する方立を備え、その各サッシの面外方向中間部が建物躯体の室外側面に取付けられ、各サッシの室外側部が建物躯体の室外側面よりも突出した連窓であって、
前記方立の左右取付縦板間における建物躯体の室外側面よりも室外側に、仕切り縦板を設けて方立の内部を、室内側寄り部分と室外側寄り部分に区画し、
前記方立の左右取付縦板と前記サッシの縦枠との間における建物躯体の室外側面よりも室外側に縦空間を形成し、
前記方立の上端面、左右の縦枠の上端面における建物躯体の室外側面よりも突出した部分に亘って上部カバーをシーラを介して取付け、
前記方立の下端面、左右の縦枠の下端面における建物躯体の室外側面よりも突出した部分に亘って下部カバーをシーラを介して取付け、このシーラに、前記縦空間、方立の室外側寄り部分の排水部を形成する切欠を設け、
前記上部カバーを取付ける上部ビスを、前記縦枠の縦空間を形成する部分、前記方立の取付縦板における縦空間を形成する部分、前記方立の室外側寄り部分の内面のいずれかに螺合し、
前記下部カバーを取付ける下部ビスを、方立の室内側寄り部分における建物躯体の室外側面よりも突出した部分の内面に螺合したことを特徴とする連窓。
【発明の詳細な説明】
【０００１】
【発明の属する技術分野】
本発明は、左右サッシの縦枠相互を方立を介して連結した連窓、詳しくは連結部から雨水等が建物躯体に浸入しないようにするシール構造に関する。
【０００２】
【従来の技術】
実用新案登録第２５５０７８１号公報に示す連窓が提案されている。
この連窓は、左右サッシの縦枠相互を方立を介して連結し、方立の上端面と左右縦枠の上端面と左右上枠の上面に亘って上部キャップをシーラを介してビスで取付け、方立の下端面と左右の縦枠の下端面に亘って下部キャップをシーラを介してビスで取付けてある。
【０００３】
【発明が解決しようとする課題】
前述の連窓においては、上部キャップを方立のビスホールに螺合するビスで取付けているので、そのビス取付部から方立の中空部に雨水等が浸入することがある。
方立の中空部に浸入した雨水等を下部キャップの排水穴から排水するようにしているが、その雨水等が全て排水穴から排水されずに浸入した雨水等の一部が建物躯体（窓台）に流れて漏らす恐れがある。
【０００４】
そこで、本発明は前述の課題を解決できるようにした連窓を提供することを目的とする。
【０００５】
【課題を解決するための手段】
本発明は、左右サッシと、その左右サッシの縦枠相互を連結する方立を備え、その各サッシの面外方向中間部が建物躯体の室外側面に取付けられ、各サッシの室外側部が建物躯体の室外側面よりも突出した連窓であって、
前記方立の左右取付縦板間における建物躯体の室外側面よりも室外側に、仕切り縦板を設けて方立の内部を、室内側寄り部分と室外側寄り部分に区画し、
前記方立の左右取付縦板と前記サッシの縦枠との間における建物躯体の室外側面よりも室外側に縦空間を形成し、
前記方立の上端面、左右の縦枠の上端面における建物躯体の室外側面よりも突出した部分に亘って上部カバーをシーラを介して取付け、
前記方立の下端面、左右の縦枠の下端面における建物躯体の室外側面よりも突出した部分に亘って下部カバーをシーラを介して取付け、このシーラに、前記縦空間、方立の室外側寄り部分の排水部を形成する切欠を設け、
前記上部カバーを取付ける上部ビスを、前記縦枠の縦空間を形成する部分、前記方立の取付縦板における縦空間を形成する部分、前記方立の室外側寄り部分の内面のいずれかに螺合し、
前記下部カバーを取付ける下部ビスを、方立の室内側寄り部分における建物躯体の室外側面よりも突出した部分の内面に螺合したことを特徴とする連窓である。
【０００７】
【作用】
本発明によれば、縦空間及び方立の室外側寄り部分に浸入した雨水等は下部カバーのシーラの切欠から室外側に排出され、方立の室内側寄り部分に浸入しない。
上部カバーを取付ける上部ビスの螺合部から方立の室内側寄り部分に雨水等が浸入しない。
したがって、方立と左右縦枠の連結部から雨水等が建物躯体まで流れて建物躯体を漏らすことがない。
【０００８】
また、縦空間及び方立の室外側寄り部分に浸入した雨水等が下部カバーのシーラの切欠から室外側に排出され、方立の室内側寄り部分に浸入しないと共に、下部カバーを取付ける下部ビスが方立の室内側寄り部分における建物躯体の室外側面よりも突出した部分の内面に螺合しているので、前記縦空間及び方立の室外側寄り部分に浸入した雨水等が下部ビスの螺合部から建物躯体の室外側面に取付けた外装材に流れ落ちることがない。
【０００９】
【発明の実施の形態】
図１と図２に示すように、建物躯体１の平面形状台形状部分１ａにサッシ取付開口部２が形成されてある。
このサッシ取付開口部２に連窓３が取付けてある。
前記連窓３は中間サッシ４と左右サッシ５を有し、その各サッシは左右の縦枠６に上枠７、下枠８を突き当て連結したサッシ枠９を備え、中間サッシ４の縦枠６と左右サッシ５の縦枠６が方立１０でそれぞれ連結され、連窓３は平面形状台形状である。
【００１０】
前記各サッシは、その室内外側方向（以下面外方向という）中間部が建物躯体１の室外側面１ｂに取付けられ、その室外側部が建物躯体１の室外側面１ｂよりも突出している。つまり、各サッシは半外付けサッシである。
前記方立１の上端面、左右の縦枠６の上端面、左右の上枠７の上面における建物躯体１の室外側面１ｂよりも突出した部分に亘って上部カバー１１が取付けてある。
前記方立１の下端面、左右の縦枠６の下端面、左右の下枠８の下面における建物躯体１の室外側面１ｂよりも突出した部分に亘って下部カバー１２が取付けてある。
前記建物躯体１の室外側面１ｂに外装材１３が仮想線で示すように取付けられる。
【００１１】
前記方立１０は図３に示すように、平面略Ｖ字状である左右の取付縦板２０と平面略く字形状の室外側縦板２１と室内側縦板２２で中空部２３を有する断面形状で、その左右の取付縦板２０の面外方向中間部間に跨って仕切り縦板２４が一体的に設けられて中空部２３を室外側中空部２３ａと室内側中空部２３ｂに区画している。つまり方立１０の内部を仕切り縦板２４で室外側寄り部分と室内側寄り部分に区画している。
前記仕切り縦板２４は建物躯体１の室外側面１ｂよりも室外側寄りに位置し、前記室外側中空部２３ａは建物躯体１の室外側面１ｂよりも室外側に位置している。
【００１２】
前記左右の取付縦板２０における室内側中空部２３ｂの内面以外の位置、例えば仕切り縦板２４よりも室外側寄りの外側面（室外側中空部２３ａとは反対側の面）に第１ビスホール２５が長手方向に連続してそれぞれ形成してある。
前記左右の取付縦板２０の仕切り縦板２４よりも室内側寄りの内側面（室内側中空部２３ｂの内面）に第２ビスホール２６が長手方向に連続してそれぞれ形成してある。
【００１３】
前記縦枠６はアルミ等の金属製の室外側部材６ａと合成樹脂等の断熱材製の室内側部材６ｂを備えている。その室外側部材６ａが方立１０の室外側縦板２１に係止し、かつ取付縦板２０の室内側端部にビス２７で連結されると共に、面外方向中間部に一体的に設けた躯体取付片６ｃが取付縦板２０の面外方向中間部にシール材２８を介して圧接している。なお、前記躯体取付片６ｃは図示よりも長尺で、単窓の場合に縦枠６を建物躯体に取付け、連窓の場合には図示の長さに切断する。
方立１０の左右に取付けた左右サッシの縦枠６における室内側部材６ｂに亘って合成樹脂等の断熱材製のカバー体２９が取付けてある。
【００１４】
前記上部カバー１１は図４と図５（ａ），（ｂ），（ｃ）に示すように、横板３０と上向きの縦板３１で略Ｌ字形状である。その横板３０は方立１の断面形状に合わせて平面略く字形状で、その横板３０の室内側端部に沿って縦板３１が一体的に設けられ、その縦板３１は平面略く字状である。
横板３０の下面と縦板３１の裏面（室内側面）とに亘って水密材、例えばシーラ３２が設けてある。
前記横板３０には方立連結用孔３３が形成してあり、縦板３１には躯体取付用孔３４が形成してある。
【００１５】
図４に示すように、上枠７は横向部７ａと躯体取付片７ｂを備え、その横向部７ａの端面が縦枠６の室外側部材６ａに接する。
縦枠６の躯体取付片６ｃは室外側部材６ａよりも上方に突出して上枠７の躯体取付片７ｂと面外方向に面一に連続する。
【００１６】
図６と図７に示すように、上部カバー１１は横板３０が方立１０の上端面、縦枠６（室外側部材６ａ）の上端面、上枠７の横向部７ａ上面にシーラ３２を介して載置され、上部ビス３５を方立連結用孔３３から第１ビスホール２５に螺合して固着される。縦片３１が前記左右縦枠６の躯体取付片６ｃ間に面外方向に面一として位置し、ビス３６を躯体取付用孔３４から建物躯体１に螺合して取付ける。
【００１７】
このようであるから、上部ビス３５の螺合部分より浸入した雨水等は方立１０の取付縦板２０と縦枠６との間の縦空間１４に流れ、その雨水等は方立１０の室内側中空部２３ｂには流れ込まない。
また、上枠７の躯体取付片７ｂ、縦板６の躯体取付片６ｃ、上部カバー１１の縦板３１が略面一に連続して建物躯体１の室外側面１ｂに固着されると共に、躯体取付片６ｃと縦板３１との間がシーラ３２で水密されるので、それらの固着部から方立１０の室内側中空部２３ｂに雨水等が浸入することがない。
【００１８】
前記下部カバー１２は図８と図９（ａ），（ｂ），（ｃ）に示すように、横板４０と下向きの縦板４１で略Ｌ字形状である。その横板４０は方立１の断面形状に合わせて平面略く字形状で、その横板４０の室内側端部に沿って縦板４１が一体的に設けられ、その縦板４１は平面略く字形状である。
横板４０の上面と縦板４１の裏面（室内側面）とに亘って水密材、例えばシーラ４２が設けてある。このシーラ４２の室外側縁の左右には切欠４２ａ（シーラ４２ａの無い部分）がある。
前記横板４０には方立連結用孔４３が形成してあり、縦板４１には躯体取付用孔４４が形成してある。
【００１９】
図８に示すように、下枠８は横向部８ａと躯体取付片８ｂを備え、その横向部８ａの端面が縦枠６の室外側部材６ａに接する。
縦枠６の躯体取付片６ｃは室内側部材６ａよりも下方に突出して下枠８の躯体取付片８ｂと面外方向に面一に連続する。
【００２０】
図１０と図１１に示すように、下部カバー１２は横板４０が方立１０の下端面、縦枠６（室外側部材６ａ）の下端面、下枠８の横向部８ａ上面にシーラ４２を介して載置され、下部ビス４５を方立連結用孔４３から第２ビスホール２６に螺合して固着される。縦片３１が前記左右縦枠６の躯体取付片６ｃ間に面外方向に面一として位置し、ビス４６を躯体取付用孔４４から建物躯体１の室外側面１ｂに螺合して取付ける。
【００２１】
このようであるから、図３と図１２に示すように、方立１０の室外側中空部２３ａ、取付縦板２０と縦枠６の室外側部材６ａ、躯体取付片６ｃで囲まれた左右の縦空間１４の上部、下部が上部カバー１１、下部カバー１２で水密される。
また、下部カバー１２のシーラ４２の切欠４２ａは図３に示すように方立１０の取付縦板２０と対向し、室外側中空部２３ａ、縦空間１４の排水部を形成する。方立１０の上端面と上部カバー１１との間に万一隙間が生じ、その隙間から室外側中空部２３ａに侵入した雨水等は、前述の排水部から排水され、室内側中空部２３ｂに侵入しない。
【００２２】
また、下部ビス４５は雨水等が浸入しない室内側中空部２３ｂに開口した第２ビスホール２６に螺合しているので、上部ビス３５の螺合部分より方立１０の取付縦板２０と縦枠６との間の縦空間１４に浸入した雨水等や上部キャップ１１と方立１０との間から方立１０の室外側中空部２３ａに浸入した雨水等が下部ビス４５の螺合部分に流れることはなく、その下部ビス４５の螺合部分から外装材１３に浸入しない。
また、下枠８の躯体取付片８ｂ、縦板６の躯体取付片６ｃ、下部カバー１２の縦板４１が略面一に連続して建物躯体１の室外側面１ｂに固着されると共に、それらの間がシーラ４２で水密されるので、それらの固着部から方立１０の室内側中空部２３ｂに雨水等が浸入することがない。
【００２３】
また、方立１０の室外側中空部２３ａ、方立１０と縦枠６との間の縦空間１４に浸入した雨水等は下部カバー１２のシーラ４３の切欠４３ａから室外側に排水される。
【００２４】
以上の実施の形態では中間サッシ４と左右サッシ５を１３５度に連結したが、他の角度で連結しても良い。
例えば、図１３に示すように中間サッシ４と左右サッシ５を９０度に連結しても良い。
この場合には方立１０の室外側縦板２１を平面９０度として左右取付縦板２０を９０度とする。
【００２５】
また、図１４に示すように中間サッシ４と左右サッシ５を直線状（角度ゼロ）に連結しても良い。
この場合には方立１０の室外側縦板２１を一直線状として左右取付縦板２０を平行とする。
【００２６】
以上の各実施の形態では左右の取付縦板２０を室外側縦板２１まで連続させたが、その左右の取付縦板２０を仕切り縦板２４までの長さとすると共に、仕切り縦板２４と室外側縦板２１を連結縦板で連結しても良い。
また、上部カバー１１、下部カバー１２は上枠７、下枠８の上面までに亘って取付けたが、縦板６の上端面までに亘って取付けるようにしても良い。つまり、上部カバー１１、下部カバー１２は方立１０と左右サッシの縦枠６の連結部の上部、下部に亘って取付ければ良い。
また、上部ビス３５は縦枠６の室外側部材６ａ（縦空間１４を形成する部分）に形成したビスホールに螺合しても良い。つまり、上部ビス３５は方立１０の室内側中空部２３ｂ内面以外に螺合すれば良い。
【００２７】
【発明の効果】
請求項１に係る発明によれば、縦空間及び方立の室外側寄り部分に浸入した雨水等は下部カバーのシーラの切欠から室外側に排出され、方立の室内側寄り部分に浸入しない。
上部カバーを取付ける上部ビスの螺合部から方立の室内側寄り部分に雨水等が浸入しない。
したがって、方立と左右縦枠の連結部から雨水等が建物躯体まで流れて建物躯体を漏らすことがない。
【００２８】
また、縦空間及び方立の室外側寄り部分に浸入した雨水等が下部カバーのシーラの切欠から室外側に排出され、方立の室内側寄り部分に浸入しないと共に、下部カバーを取付ける下部ビスが方立の室内側寄り部分における建物躯体の室外側面よりも突出した部分の内面に螺合しているので、前記縦空間及び方立の室外側寄り部分に浸入した雨水等が下部ビスの螺合部から建物躯体の室外側面に取付けた外装材に流れ落ちることがない。
【図面の簡単な説明】
【図１】連窓の概略外観図である。
【図２】連窓の概略横断面図である。
【図３】方立と左右サッシ連結部の横断面図である。
【図４】方立と左右サッシ連結部の上部カバーを外した状態の斜視図である。
【図５】（ａ）上部カバーの平面図である。
（ｂ）上部カバーの側面図である。
（ｃ）上部カバーの正面図である。
【図６】方立と左右サッシ連結部の上部斜視図である。
【図７】方立と左右サッシ連結部の上部裏面斜視図である。
【図８】方立と左右サッシ連結部の下部カバーを外した状態の斜視図である。
【図９】（ａ）下部カバーの平面図である。
（ｂ）下部カバーの側面図である。
（ｃ）下部カバーの正面図である。
【図１０】方立と左右サッシ連結部の下部斜視図である。
【図１１】方立と左右サッシ連結部の下部裏面斜視図である。
【図１２】図３のＡ−Ａ断面図である。
【図１３】本発明の第２の実施の形態を示す方立と左右サッシ連結部の横断面図である。
【図１４】本発明の第３の実施の形態を示す方立と左右サッシ連結部の横断面図である。
【符号の説明】
１…建物躯体
１ｂ…室外側面
６…縦枠
７…上枠
８…下枠
１０…方立
１１…上部カバー
１２…下部カバー
１３…外装材
１４…縦空間
２０…取付縦板
２３…中空部
２３ａ…室外側中空部（室外側寄り部分）
２３ｂ…室内側中空部（室内側寄り部分）
２４…仕切り縦板
３２…シーラー（水密材）
３５…上部ビス
４２…シーラー（水密材）
４５…下部ビス
【図１】
0003637561.tif 000002
【図２】
0003637561.tif 000003
【図３】
0003637561.tif 000004
【図４】
0003637561.tif 000005
【図５】
0003637561.tif 000006
【図６】
0003637561.tif 000007
【図７】
0003637561.tif 000008
【図８】
0003637561.tif 000009
【図９】
0003637561.tif 000010
【図１０】
0003637561.tif 000011
【図１１】
0003637561.tif 000012
【図１２】
0003637561.tif 000013
【図１３】
0003637561.tif 000014
【図１４】
0003637561.tif 000015